(57)【要約】【課題】機械室後方を開放して使用する冷蔵庫において、出荷からの流通過程における機械室の構成部品を保護することを目的とする。【解決手段】本体後方下部に機械室７を有し、前記機械室７内に圧縮機１と蒸発皿３とを備え、前記機械室７後方にカバーを用いず開放状態で使用する冷蔵庫において、前記冷蔵庫を工場から出荷するために梱包する際、前記機械室７全面を覆う梱包シート９を設けたことにより、機械室７部分が梱包材で覆われることとなり、流通段階での外圧から機械室７構成部品を保護することが出来、破損を防止することができる。【選択図】図２
2005127664.tif 000002
【特許請求の範囲】
【請求項１】
本体後方下部に機械室を有し、前記機械室内に圧縮機と蒸発皿とを備え、前記機械室後方にカバーを用いず開放状態で使用する冷蔵庫において、前記冷蔵庫を工場から出荷するために梱包する際、前記機械室全面を覆う梱包シートを設けた冷蔵庫。
【請求項２】
梱包シートは機械室開口部より大きく、冷蔵庫本体より小さい外形寸法とした請求項1の記載の冷蔵庫
【請求項３】
梱包シートは圧縮機上部に位置した蒸発皿に係止された請求項１または２に記載の冷蔵庫
【請求項４】
梱包シートは冷蔵庫後方からみた蒸発皿の投影部分を取り除いた形とした請求項1から請求項３のいずれか一項に記載の冷蔵庫
【請求項５】
梱包シートは、冷蔵庫本体より突出せず、機械室内部に配設された請求項1から請求項４のいずれか一項に記載の冷蔵庫
【発明の詳細な説明】
【技術分野】
【０００１】
本発明は、冷蔵庫の流通段階での製品保護のための梱包仕様に関するものである。
【背景技術】
【０００２】
従来、この種の冷蔵庫は、機械室カバーを持たず、圧縮機や冷媒配管、電気配線部品等機械室に配設された部品が露出した状態となっている。（例えば、特許文献１参照）。
【０００３】
図４は、特許文献１に記載された従来の冷蔵庫を示すものである。図４に示すように、圧縮機１と、圧縮機支持板２と、冷蔵庫本体４と、冷媒配管５と、機械室７と、機械室開口部８から構成されている。
【特許文献１】特開２０００−７４５１１号公報
【発明の開示】
【発明が解決しようとする課題】
【０００４】
しかしながら、上記従来の構成では機械室構成部品が露出した状態なので、出荷、据付に至る流通段階での外圧が構成部品に加わり、破損する可能性を持つという課題を有していた。
【０００５】
本発明は、上記従来の課題を解決するもので、流通段階での外圧から機械室構成部品を保護することの出来る冷蔵庫を提供することを目的とする。
【課題を解決するための手段】
【０００６】
上記従来の課題を解決するために、本発明の冷蔵庫は、本体後方下部に機械室を有し、前記機械室内に圧縮機と蒸発皿とを備え、前記機械室後方にカバーを用いず開放状態で使用する冷蔵庫において、前記冷蔵庫を工場から出荷するために梱包する際、前記機械室全面を覆う梱包シートを有したものである。
【０００７】
これによって、機械室は、梱包シートで覆われた構成となり、外圧が直接機械室に加わらない事で、機械室構成部品を保護することが出来る。
【発明の効果】
【０００８】
本発明の冷蔵庫は、梱包シートを有することで、流通段階での外圧から機械室構成部品を保護することが出来、破損を防止することができる。
【発明を実施するための最良の形態】
【０００９】
請求項１に記載の発明は、本体後方下部に機械室を有し、前記機械室内に圧縮機と蒸発皿とを備え、前記機械室後方にカバーを用いず開放状態で使用する冷蔵庫において、前記冷蔵庫を工場から出荷するために梱包する際、前記機械室全面を覆う梱包シートを設けたものであり、梱包シートを配設することで、機械室部分が梱包材で覆われることとなり、流通段階での外圧から機械室構成部品を保護することが出来、破損を防止することができる。
【００１０】
請求項２に記載の発明は、請求項１に記載の発明において、梱包シートは機械室開口部より大きく、冷蔵庫本体より小さい外形寸法としたものであり、梱包シートを、機械室開口部寸法より大きくした事で梱包シート外周部が冷蔵庫本体部分で支持されるため外圧に対する補強効果をあげることが出来る。
【００１１】
請求項３に記載の発明は、請求項１または２に記載の発明において、梱包シートは圧縮機上部に位置した蒸発皿に係止するものであり、梱包シートを機械室上部に位置する蒸発皿に係止することで、梱包シート固定するためのテープ等が不要であり、梱包シート配設作業が簡素化出来る。
【００１２】
請求項４に記載の発明は、請求項１から３のいずれか一項に記載の発明において、梱包シートは冷蔵庫後方からみた蒸発皿の投影部分を取り除いた形としたものであり、梱包シート形状を、冷蔵庫奥行き方向での蒸発皿投影部分を取り除いた形とすることで、立体的で複雑な形状を必要としない、板状の梱包シートを提供出来る。
【００１３】
請求項５に記載の発明は、請求項１から４のいずれか一項に記載の発明において、梱包シートは、冷蔵庫本体より突出せず、機械室内部に配設するものであり、梱包シートのサイズを冷蔵庫本体寸法以下とすることで、冷蔵庫本体寸法内に梱包シートを収納することが出来、冷蔵庫の梱包サイズを増やすことなく、機械室構成部品を保護することが出来る。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の背面図を示すものである。図２は要部背面図、図３は要部断面図である。
【００１６】
図１において、圧縮機１は、圧縮機支持板２に保持され、圧縮機支持板２は、冷蔵庫本体４の底面にて固定されている。蒸発皿３は圧縮機１上に位置し、冷蔵庫本体４に支持されている。圧縮機１、蒸発皿３や冷媒配管５、電気配線部品６等が機械室７に配設されており、機械室開口部８は、冷蔵庫本体４の背面部に対向した機械室の窓枠を形成している。
【００１７】
上記冷蔵庫を工場から出荷し流通過程に入る前の梱包行程において、機械室７全面を覆う梱包シート９を設けている。梱包シート９はダンボールあるいは樹脂成形シート等が用いられ、梱包シート９は機械室開口部８より大きく、冷蔵庫本体４より小さい外形寸法としている。また、梱包シート９は冷蔵庫本体４より突出する形で取り付けられた蒸発皿３の投影部分を取り除いた形の板状となっており、梱包シート９は蒸発皿３投影面切欠部分の上方から下方に突出するようにアーム１０を形成し、上方より蒸発皿３にアーム１０を挿入し、取り付ける形としている。
【００１８】
また、梱包シート９は冷蔵庫本体４より突出せず、機械室７の内部に収まるように配設される。
【００１９】
上記構成により、本体後方下部に機械室７を有し、前記機械室７内に圧縮機１と蒸発皿３とを備え、前記機械室７後方にカバーを用いず開放状態で使用する冷蔵庫において、前記冷蔵庫を工場から出荷するために梱包する際、前記機械室７全面を覆う梱包シート９を設けたことにより、機械室７部分が梱包材で覆われることとなり、流通段階での外圧から機械室７構成部品を保護することが出来、破損を防止することができる。
【００２０】
また、梱包シート９は機械室開口部８より大きく、冷蔵庫本体４より小さい外形寸法としているので、梱包シート９外周部が冷蔵庫本体部分で支持されるため外圧に対する補強効果をあげることが出来る。
【００２１】
また、梱包シート９は蒸発皿３投影面切欠部分の上方から下方に突出するようにアーム１０を形成し、上方より蒸発皿３にアーム１０を挿入し取り付けるので、梱包シート９固定するためのテープ等が不要であり、梱包シート９配設作業が簡素化出来る。
【００２２】
また、梱包シート９は冷蔵庫本体４より突出する形で取り付けられた蒸発皿３の投影部分を取り除いた形の板状としているので、立体的で複雑な形状を必要とせず、作業時間の短縮、低コスト化が可能となる。
【００２３】
また、梱包シート９は冷蔵庫本体４より突出せず、機械室７の内部に収まるように配設しているので、冷蔵庫の梱包サイズを増やすことなく機械室構成部品を保護することが出来る。
【産業上の利用可能性】
【００２４】
以上のように、本発明にかかる冷蔵庫は、製品の梱包サイズを増やすことなく、製品本体又は、一部に梱包材を固定し製品保護が可能となるので、機械室カバーを有しない冷凍機器等の梱包分野等の用途にも適用できる。
【図面の簡単な説明】
【００２５】
【図１】本発明の実施の形態１における冷蔵庫の背面図
【図２】本発明の実施の形態１における冷蔵庫の要部背面図
【図３】本発明の実施の形態１における冷蔵庫の要部断面図
【図４】従来例を示す冷蔵庫の斜視図
【符号の説明】
【００２６】
１    圧縮機
３    蒸発皿
４    冷蔵庫本体
７    機械室
８    機械室開口部
９    梱包シート
【図１】
2005127664.tif 000003
【図２】
2005127664.tif 000004
【図３】
2005127664.tif 000005
【図４】
2005127664.tif 000006